(57)【要約】      （修正有）【課題】スマートフォンの急速充電機能を有効としうるマザーボードを提供。【解決手段】急速充電開始ユニットは、３．２Ｖ〜１．１Ｖの範囲内にある第１の電圧と、２．７Ｖ〜０．６Ｖの範囲内にある第２の電圧とを生じる。第１の電圧と第２の電圧との間の電圧差は、０．５Ｖ〜０．８Ｖの範囲内とする。接続ポートはスマートフォンに結合される。スイッチングユニットは、コントローラと、急速充電開始ユニットと、接続ポートとに結合され、スイッチング信号に応じて、接続ポートをコントローラに結合するか、又は急速充電開始ユニットに結合するかを決定する。接続ポートが急速充電開始ユニットに結合されると、第１の電圧及び第２の電圧が接続ポートを介してスマートフォンに供給されてスマートフォンの急速充電機能を有効にする。【選択図】図１
2011234132.tif 000002
【特許請求の範囲】
【請求項１】
データ信号を出力又は受信するように構成したコントローラと、
第１の電圧及び第２の電圧を生じる急速充電開始ユニットであって、第１の電圧は３．２ボルト（Ｖ）〜１．１Ｖの範囲内とし、第２の電圧は２．７Ｖ〜０．６Ｖの範囲内とし、第１の電圧及び第２の電圧間の電圧差は０．５Ｖ〜０．８Ｖの範囲内とした当該急速充電開始ユニットと、
スマートフォンに結合される接続ポートと、
前記コントローラ、前記急速充電開始ユニット及び前記接続ポートに結合されたスイッチングユニットであって、前記接続ポートを、スイッチング信号に応じて、前記コントローラに結合するか又は前記急速充電開始ユニットに結合するかを決定し、前記接続ポートが前記急速充電開始ユニットに結合されると、前記第１の電圧及び前記第２の電圧を、前記接続ポートを介してスマートフォンに供給し、このスマートフォンの急速充電を可能にするようにする当該スイッチングユニットと
を具えるマザーボード。
【請求項２】
請求項１に記載のマザーボードにおいて、前記急速充電開始ユニットは、
系統電圧の点に結合された第１の端子及び前記第１の電圧を出力する第２の端子を有する第１の抵抗と、
この第１の抵抗の第２の端子に結合された第１の端子及び接地電圧の点に結合された第２の端子を有する第２の抵抗と、
前記系統電圧の点に結合された第１の端子及び前記第２の電圧を出力する第２の端子を有する第３の抵抗と、
この第３の抵抗の第２の端子に結合された第１の端子及び接地電圧の点に結合された第２の端子を有する第４の抵抗と
を具えるマザーボード。
【請求項３】
請求項１に記載のマザーボードにおいて、前記スイッチング信号を送信するか否かは、基本入出力システム（ＢＩＯＳ）の設定に依存するようにしてあるマザーボード。
【請求項４】
請求項１に記載のマザーボードにおいて、前記接続ポートはユニバーサルシリアルバス（ＵＳＢ）接続ポートであり、前記コントローラはＵＳＢコントローラであるマザーボード。
【請求項５】
請求項４に記載のマザーボードにおいて、前記第１の電圧及び第２の電圧がそれぞれ、前記接続ポートの第１のデータピン及び第２のデータピンを介してスマートフォンに供給されるようになっているマザーボード。
【請求項６】
請求項１に記載のマザーボードにおいて、前記スイッチングユニットは前記コントローラを前記接続ポートに予め結合しているマザーボード。
【請求項７】
請求項１に記載のマザーボードにおいて、スマートフォンをアイフォンとするマザーボード。
【発明の詳細な説明】
【技術分野】
【０００１】
本発明は、マザーボードに関するものであり、特にスマートフォンの高速充電機能を有効としうるマザーボードに関するものである。
【背景技術】
【０００２】
携帯電話は従来の固定電話に代わるものであり、益々普及している最も便利な通信チャネルとなっている。それにもかかわらず、通話、インターネットの閲覧及びマルチメディアファイルの再生のような基本的な機能を実行する携帯電話はもはや、消費者の種々の要求を満足しえない。消費者の要求を満足させるために、携帯電話の製造者は、マーケットシェアを高めるより多くの機能及び良好な拡張性を有するスマートフォンを開発することに取り組んでいる。
【０００３】
スマートフォンはパーソナルコンピュータ（ＰＣ）の機能に類似する機能を有している為、スマートフォンとＰＣとは、スマートフォンを、接続ラインを介してＰＣの接続ポートに接続することにより、互いにデータを伝送しうる。この場合、接続ポートは例えば、ユニバーサルシリアルバス（ＵＳＢ）接続ポートである。スマートフォンとＰＣとの間でデータが伝送される場合、スマートフォンのバッテリがＰＣから接続ポートを介して電力を受けることにより充電されるようにすることもできる。ＰＣが普及している為に、ＰＣを介するスマートフォンの充電は益々一般的となっている。従って、ＰＣを介してスマートフォンを急速充電する方法が重要である。
【発明の概要】
【発明が解決しようとする課題】
【０００４】
本発明は、スマートフォンの急速充電機能を有効としうるマザーボードを提供することにある。
【課題を解決するための手段】
【０００５】
本発明は、コントローラと、急速充電開始ユニットと、接続ポートと、スイッチングユニットとを有するマザーボードを提供する。コントローラは、データ信号を出力又は受信（入力）するように構成されている。急速充電開始ユニットは、第１の電圧及び第２の電圧を生じる。第１の電圧は３．２Ｖ〜１．１Ｖの範囲内にあり、第２の電圧は２．７Ｖ〜０．６Ｖの範囲内にあり、第１の電圧と第２の電圧との間の電圧差は０．５Ｖ〜０．８Ｖの範囲内にあるようにする。接続ポートはスマートフォンに結合される。スイッチングユニットは、コントローラと、急速充電開始ユニットと、接続ポートとに結合され、スイッチング信号に応じて、接続ポートをコントローラに結合するか、又は急速充電開始ユニットに結合するかを決定する。接続ポートが急速充電開始ユニットに結合されると、第１の電圧及び第２の電圧が接続ポートを介してスマートフォンに供給されてスマートフォンの急速充電機能を有効にする。
【０００６】
本発明の一例では、急速充電開始ユニットが、第１の抵抗、第２の抵抗、第３の抵抗及び第４の抵抗を有する。第１の抵抗は、系統電圧の点に結合された第１の端子と、第１の電圧を出力する第２の端子とを有する。第２の抵抗は、第１の抵抗の第２の端子に結合された第１の端子と、接地電圧の点に結合された第２の端子とを有する。第３の抵抗は、系統電圧の点に結合された第１の端子と、第２の電圧を出力する第２の端子とを有する。第４の抵抗は、第３の抵抗の第２の端子に結合された第１の端子と、接地電圧の点に結合された第２の端子とを有する。
【０００７】
本発明の一例では、スイッチング信号の伝送を基本入出力システム（ＢＩＯＳ）の設定により決定する。
【０００８】
本発明の一例では、接続ポートをユニバーサルシリアルバス（ＵＳＢ）接続ポートとし、コントローラはＵＳＢコントローラとする。
【０００９】
本発明の一例では、第１の電圧及び第２の電圧をそれぞれ、接続ポートの第１のデータピン及び第２のデータピンを介してスマートフォンに供給する。
【００１０】
本発明の一例では、スイッチングユニットによりコントローラを接続ポートに予め結合させておく。
【００１１】
本発明の一例では、スマートフォンをアイフォン（iPhone）（登録商標）とする。
【００１２】
上述した観点から、本発明のマザーボードにおけるスイッチングユニットにより、接続ポートをスイッチング信号に応じてコントローラ又は急速充電開始ユニットに結合する。接続ポートが急速充電開始ユニットに結合されると、急速充電開始ユニットの第１の電圧及び第２の電圧が、スマートフォンの急速充電機能を達成させてスマートフォンの充電速度を高めるためにスマートフォンに供給される。
【００１３】
本発明の上述した及びその他の特徴及び利点をより一層理解しやすくするために、図面を用いた実施例を以下に詳細に説明する。
【００１４】
添付図面は、本発明を更に理解するためのものであり、この明細書に導入されその一部を構成するものである。添付図面は、本発明の実施例を示し、明細書の記載と相俟って本発明の原理を説明するのに役立つものである。
【図面の簡単な説明】
【００１５】
【図１】図１は、本発明の一実施例により、マザーボードをスマートフォンに結合するシステムを示すブロック線図である。
【図２】図２は、図１に示す急速充電開始ユニットを示す回路線図である。
【発明を実施するための形態】
【００１６】
図１は、本発明の一実施例により、マザーボードをスマートフォンに結合するシステムを示すブロック線図である。この図１を参照するに、この実施例では、マザーボード１００がデータ処理回路１１０と、コントローラ１２０と、急速充電開始ユニット１３０と、スイッチングユニット１４０と、基本入出力システム（ＢＩＯＳ）１５０と、接続ポートＣＰとを有している。データ処理回路１１０は、コントローラ１２０から伝送されたデータを処理するか、又はデータをコントローラ１２０に伝送するように構成されている。この場合、データ処理回路１１０には、データ処理に必要とする装置が配置され、このデータ処理回路１１０がデータ処理能力を有するようにしてある。このデータ処理回路１１０に配置される装置は当業者にとって既知であり、従って、以後繰り返して説明しない。
【００１７】
コントローラ１２０は、データ処理回路１１０から伝送されたデータを受信した後、データ信号ＳＤを出力する。この場合、データ信号ＳＤは差分信号である。一方、コントローラ１２０は、データ信号ＳＤを受信した後に、データをデータ処理回路１１０に出力する。急速充電開始ユニット１３０は、第１の電圧Ｖ１及び第２の電圧Ｖ２を生じるように構成されている。第１の電圧Ｖ１は３．２Ｖ〜１．１Ｖの範囲内にあり、第２の電圧Ｖ２は２．７Ｖ〜０．６Ｖの範囲内にあり、第１の電圧Ｖ１と第２の電圧Ｖ２との間の電圧差は０．５Ｖ〜０．８Ｖの範囲内にある。更に、第１の電圧Ｖ１及び第２の電圧Ｖ２はスマートフォン２０の急速充電機能を有効にするように設定される。本例の場合、スマートフォン２０は例えば、アイフォンとする。接続ポートＣＰはスマートフォン２０に結合されている。
【００１８】
スイッチングユニット１４０は、コントローラ１２０と、急速充電開始ユニット１３０と、接続ポートＣＰとに結合されている。スイッチングユニット１４０は、接続ポートＣＰをスイッチング信号ＳＳに応じてコントローラ１２０に結合するか又は急速充電開始ユニット１３０に結合するかを決定する。このスイッチングユニット１４０は更に、コントローラ１２０を接続ポートＣＰに予め結合しておく。本例におけるスイッチング信号ＳＳはＢＩＯＳから伝送されるものであり、このスイッチング信号ＳＳは、ＢＩＯＳ内に記憶された設定により決定される。しかし、他の実施例では、スイッチング信号ＳＳを制御回路又はスイッチから伝送させることができ、この場合このスイッチング信号ＳＳは制御回路又はスイッチの設定により決定される。接続ポートＣＰがユニバーサルシリアルバス（ＵＳＢ）接続ポートである場合には、これに対応してコントローラ１２０をＵＳＢコントローラとする。
【００１９】
接続ポートＣＰが急速充電開始ユニット１３０に結合されると、第１の電圧Ｖ１及び第２の電圧Ｖ２が接続ポートＣＰを介してスマートフォン２０に供給され、スマートフォン２０の急速充電機能を有効にする。詳細には、急速充電開始ユニット１３０の第１の電圧Ｖ１がスイッチングユニット１４０を経て接続ポートＣＰの第１のデータピンＤＰ１に伝達され、従って、第１の電圧Ｖ１が第１のデータピンＤＰ１を介してスマートフォン２０に伝達される。更に、急速充電開始ユニット１３０の第２の電圧Ｖ２はスイッチングユニット１４０を介して接続ポートＣＰの第２のデータピンＤＰ２に伝達され、従って、第２の電圧Ｖ２が第２のデータピンＤＰ２を介してスマートフォン２０に伝達される。第１のデータピンＤＰ１はＵＳＢ接続ポートの正のデータ（Ｄ＋）ピンであり、第２のデータピンＤＰ２はＵＳＢ接続ポートの負のデータ（Ｄ−）ピンである。
【００２０】
接続ポートＣＰがコントローラ１２０に結合されると、このコントローラ１２０は、接続ポートＣＰを介してスマートフォン２０にデータ信号ＳＤを出力するか、又はスマートフォン２０から伝送されたデータ信号ＳＤを受ける。特に、コントローラ１２０のデータ信号ＳＤは第１のデータピンＤＰ１及び第２のデータピンＤＰ２を介してスマートフォン２０に伝送される。スマートフォン２０のデータ信号ＳＤは第１のデータピンＤＰ１及び第２のデータピンＤＰ２を介してコントローラ１２０に伝送される。
【００２１】
従って、スマートフォン２０が接続ポートＣＰに結合されると、スイッチングユニット１４０は、スイッチング信号ＳＳに応じ接続ポートＣＰをコントローラ１２０に結合するか又は急速充電開始ユニット１３０に結合するかを決定する。接続ポートＣＰがコントローラ１２０に結合されると、データがスマートフォン２０とデータ処理回路１１０との間で伝送される。更に、スマートフォン２０はマザーボード１００から電力を受けて、携帯電話のバッテリを通常充電することができる。接続ポートＣＰが急速充電開始ユニット１３０に結合されると、スマートフォン２０が急速充電開始ユニット１３０の第１の電圧Ｖ１及び第２の電圧Ｖ２を受け、急速充電機能を有効にする。その結果、スマートフォン２０がマザーボード１００から電力を受けて、携帯電話のバッテリを急速充電する。
【００２２】
図２は、図１に示す急速充電開始ユニットの回路線図である。この図２を参照するに、本例では、急速充電開始ユニット１３０が第１の抵抗Ｒ１、第２の抵抗Ｒ２、第３の抵抗Ｒ３及び第４の抵抗Ｒ４を有する。第１の抵抗Ｒ１は系統電圧Ｖccの点に結合された第１の端子と、第１の電圧Ｖ１を出力する第２の端子とを有する。第２の抵抗Ｒ２は第１の抵抗Ｒ１の第２の端子に結合された第１の端子と、接地電圧の点に結合された第２の端子とを有する。第３の抵抗Ｒ３は系統電圧Ｖccの点に結合された第１の端子と、第２の電圧Ｖ２を出力する第２の端子とを有する。第４の抵抗Ｒ４は第３の抵抗Ｒ３の第２の端子に結合された第１の端子と、接地電圧の点に結合された第２の端子とを有する。この場合、系統電圧Ｖccはマザーボード１００の動作電圧又は待機電圧とする。
【００２３】
要するに、本発明のマザーボードにおけるスイッチングユニットは、接続ポートをスイッチング信号に応じてコントローラ又は急速充電開始ユニットに結合する。接続ポートが急速充電開始ユニットに結合されると、この急速充電開始ユニットの第１の電圧及び第２の電圧が、スマートフォンの急速充電機能を達成させてスマートフォンの充電速度を高めるためにスマートフォンに供給される。
【００２４】
本発明を上述した実施例につき説明したが、当業者にとって明らかなように、本発明の精神を逸脱することなく、上述した実施例に変更を加えうるものである。従って、本発明の範囲は、上述した説明によってではなく、請求の範囲により規定されるものである。
【図１】
2011234132.tif 000003
【図２】
2011234132.tif 000004
【外国語明細書】
2011234132000001.pdf